(57)【要約】【課題】羽根とガードとの隙間が狭くても羽根が破損せず、ガードを薄型化および小型化することができる扇風機を提供する。【解決手段】回転するファン１６と、そのファン１６を覆う網状の隙間を有する後ガード２１とを備えた扇風機において、後ガード２１は、ファン１６の先端部に位置する前縁部６３の回転軌跡に対向する箇所の全周に、平坦面を有する当接部２９を設けている。この場合、転倒時にファン１６や後ガード２１がたわみ変形して、後ガード２１にファン１６が接触することがあっても、回転するファン１６の先端はどの位置でも、当接部２９に形成した平坦面に当接するので、骨部２８，２８の間に形成される隙間にファン１６が入り込むことはなく、ファン１６は破損しない。【選択図】図１１
2015169151.tif 000002
【特許請求の範囲】
【請求項１】
回転する羽根と、前記羽根を覆う網状のガードとを備えた扇風機において、
前記ガードは、前記羽根の先端部の回転軌跡に対向する箇所の全周に平坦面を設けたことを特徴とする扇風機。
【請求項２】
羽根を覆う網状のガードを、前ガードと後ガードに分割可能な構成とした扇風機において、
前記前ガードは金属のワイヤーとし、前記後ガードは合成樹脂として構成し、
前記前ガードが内接するリブ部材を設け、
前記後ガードの強度を確保するために、前記リブ部材が前記後ガードの内側に嵌合することを特徴とする扇風機。
【請求項３】
前記リブ部材の一端に前記後ガードと嵌合するリブを設け、
前記リブ部材の他端に、前記後ガードとの外れ防止のためのクリップを設けたことを特徴とする請求項２記載の炊飯器。
【請求項４】
回転する羽根と、前記羽根を覆う網状のガードとを備えた扇風機において、
前記ガードは、羽根の前面に対向する前ガードに桟を設け、
前記桟の形状を、前記羽根の回転方向に対して順方向と逆方向に切替える切替え手段を備えたことを特徴とする扇風機。
【請求項５】
駆動源の回転軸に取り付けられる回転ボスと、
前記回転ボスを中心として、複数の翼を放射状に設けてなる軸流型の第１羽根部と、
前記回転ボスを中心として、前記第１羽根部よりも直径が小さい斜流型或いは遠心型の第２羽根部とを備え、
回転時には、前記第２羽根部により中心から斜め前方若しくは横方向に風を出し、前記第１羽根部により外周部から直進の風を出す構成としたことを特徴とする扇風機の羽根。
【請求項６】
前記第２羽根部の吸気口を開閉する開閉手段を備え、
前記吸気口を閉じた場合には、前記羽根の全体から直進の風を出し、前記吸気口を開いた場合には、前記羽根の全体から広がる風を出す構成としたことを特徴とする請求項５記載の扇風機の羽根。
【発明の詳細な説明】
【技術分野】
【０００１】
本発明は、回転する羽根によって風を発生させる扇風機および扇風機の羽根に関する。
【背景技術】
【０００２】
従来の扇風機は、本体の転倒時などの安全性を確保するために、羽根と、その羽根を覆うガードとの間の距離を比較的広くすると共に、強度のある金属ワイヤーでガードを形成するのが主流であった。しかし、金属ワイヤーのガードでは、本体重量の軽減やコストを抑えた設計をすることができなかった。そこで特許文献１には、ガードを合成樹脂製とした扇風機が開示されている。
【０００３】
また従来の扇風機は、羽根を回転させて風を人に向けて送っており、例えば引用文献２には、広い範囲に均等な量の風を送り出すために、各々特定の傾斜角を有する複数の桟を、前ガードに備えた扇風機が開示されている。
【先行技術文献】
【特許文献】
【０００４】
【特許文献１】特開２００４−３５３６２８号公報
【特許文献２】登録実用新案第３１７９３３５号公報
【発明の概要】
【発明が解決しようとする課題】
【０００５】
上述した従来の扇風機では、本体の転倒時に、回転する羽根が網状のガードに形成した隙間に入り込んで破損しないようにしなければならず、ガードを薄型化・小型化することができなかった。とりわけガードを合成樹脂製とした場合は、ガードそのものが金属ワイヤー製のものよりも変形しやすく、ガードの薄型化や小型化はさらに困難であった。
【０００６】
また、ガードを構成する前ガードと後ガードとの固定方法は、磁石を利用したものや、後ガードに前ガードをねじ込むものが知られている。しかし、本体の転倒時に後ガードから前ガードが外れやすく、清掃時や収納時に前ガードと後ガードとの分解が難しいなどの問題がある。
【０００７】
また、引用文献２に示す扇風機では、前ガードの桟形状に工夫がなされているものの、羽根やガードの形状は固定されており、羽根の回転速度を変えて風の強弱を変更することしかできない。つまり従来の扇風機は、風の強弱を切替えるだけで、広範囲に送る風、もしくは直線性の風の切換えはできず、人に対して広がる風と、部屋の循環に適した直進性のある遠くまで届くような風との切替えができないという問題がある。
【０００８】
さらに、従来の扇風機は送風のために軸流ファンを用いており、製造性がよく安価にするため、４枚羽根や、５枚羽根や、７枚羽根などの軸流ファンが多く使用されている。しかし、この種の軸流ファンでは風を軸方向にしか出すことができず、風を広げて送り出すことができないため、本体に設けた首振り機構を運転させて、広がりのある風を供給するしかなかった。
【０００９】
そこで本発明は上記問題点に鑑み、羽根とガードとの隙間が狭くても羽根が破損せず、ガードを薄型化および小型化することができる扇風機を提供することを第１の目的とする。
【００１０】
また、本発明の第２の目的は、ガードとしての軽量化やコスト低減を図りつつ、ガード全体の強度を確保して、転倒時における安全性を高めた扇風機を提供することにある。
【００１１】
また、本発明の第３の目的は、広がる風と直進性の風を切替えて送り出すことが可能な扇風機を提供することにある。
【００１２】
また、本発明の第４の目的は、首振り機構を用いずに、直進性のある風と広がりのある風を実現できる扇風機の羽根を提供することにある。
【課題を解決するための手段】
【００１３】
請求項１の発明は、回転する羽根と、前記羽根を覆う網状のガードとを備えた扇風機において、前記ガードは、前記羽根の先端部の回転軌跡に対向する箇所の全周に平坦面を設けて構成される。
【００１４】
請求項２の発明は、羽根を覆う網状のガードを、前ガードと後ガードに分割可能な構成とした扇風機において、前記前ガードは金属のワイヤーとし、前記後ガードは合成樹脂として構成し、前記前ガードが内接するリブ部材を設け、前記後ガードの強度を確保するために、前記リブ部材が前記後ガードの内側に嵌合する構成を有している。
【００１５】
請求項３の発明は、前記リブ部材の一端に前記後ガードと嵌合するリブを設け、前記リブ部材の他端に、前記後ガードとの外れ防止のためのクリップを設けている。
【００１６】
請求項４の発明は、回転する羽根と、前記羽根を覆う網状のガードとを備えた扇風機において、前記ガードは、羽根の前面に対向する前ガードに桟を設け、前記桟の形状を、前記羽根の回転方向に対して順方向と逆方向に切替える切替え手段を備えている。
【００１７】
請求項５の発明は、駆動源の回転軸に取り付けられる回転ボスと、前記回転ボスを中心として、複数の翼を放射状に設けてなる軸流型の第１羽根部と、前記回転ボスを中心として、前記第１羽根部よりも直径が小さい斜流型或いは遠心型の第２羽根部とを備え、回転時には、前記第２羽根部により中心から斜め前方若しくは横方向に風を出し、前記第１羽根部により外周部から直進の風を出す構成となっている。
【００１８】
請求項６の発明は、前記第２羽根部の吸気口を開閉する開閉手段を備え、前記吸気口を閉じた場合には、前記羽根の全体から直進の風を出し、前記吸気口を開いた場合には、前記羽根の全体から広がる風を出す構成となっている。
【発明の効果】
【００１９】
請求項１の発明によれば、転倒時に羽根やガードがたわみ変形して、ガードに羽根が接触することがあっても、回転する羽根の先端はどの位置でも平坦面に当接するので、ガードに形成した隙間に羽根が入り込むことはなく、羽根は破損しない。したがって、羽根とガードとの隙間が狭くても羽根は破損せず、ガードを薄型化および小型化することが可能になる。
【００２０】
請求項２の発明によれば、後ガードを合成樹脂製にすることで、ガードとしての軽量化やコスト低減を図ることができ、また、金属のワイヤーからなる前ガードにリブ部材を設け、このリブ部材を後ガードの内側に嵌合させて、外力による後ガードの変形を防止することで、ガード全体の強度を確保して、転倒時における安全性を高くすることができる。
【００２１】
請求項３の発明によれば、リブ部材に設けたリブを後ガードに嵌合させ、リブの反対側でクリップを用いてリブ部材と後ガードとを係止固定することで、転倒時に前ガードと後ガードとを容易に外れないようにすることができる。また、清掃時や収納時にクリップを操作して、後ガードとリブ部材との嵌合を解除するだけで、後ガードと前ガードとを容易に分解することができる。
【００２２】
請求項４の発明によれば、羽根の回転速度を変えて風の強弱を変更するのではなく、前ガードに設けた桟の形状を切替え手段によって切替えることで、桟の形状が羽根の回転方向に対して順方向に向いている場合は、前ガードで風を拡散して広がる風を送り出すことができ、また桟の形状が羽根の回転方向に対して逆方向に向いている場合は、前ガードから直進性の風を送り出すことが可能になる。従って、扇風機として広がる風と直進性の風を切替えて送り出すことが可能になる。
【００２３】
請求項５の発明によれば、扇風機の羽根として、形態の異なる２種類の羽根部を組み合わせることで、首振り機構をわざわざ用いなくても、直進性のある風と広がりのある風を一つの羽根で実現することが可能になる。
【００２４】
請求項６の発明によれば、開閉手段を用いて第２羽根部の吸気口を開閉することで、羽根の全体から直進性のある風と、広がりのある風の何れかを切替えて送り出すことができる。
【図面の簡単な説明】
【００２５】
【図１】本発明の第１実施例における扇風機本体の全体斜視図である。
【図２】同上、扇風機本体の正面図である。
【図３】同上、扇風機本体の右側面図である。
【図４】同上、扇風機本体の平面図である。
【図５】同上、送風部を傾けた状態の扇風機本体の右側面図である。
【図６】同上、扇風機本体の斜め前方から見て、後ガードから前ガードを外した状態の要部斜視図である。
【図７】同上、扇風機本体の斜め後方から見て、化粧蓋を含む前ガードとリブ部材の要部斜視図である。
【図８】同上、後ガード単体の正面から見た透視図である。
【図９】同上、化粧蓋を含む前ガード単体の正面から見た透視図である。
【図１０】同上、リブ部材単体の背面から見た透視図である。
【図１１】同上、後ガードとファンとの位置関係を示す要部の正面から見た透視図である。
【図１２】同上、後ガードとファンとの位置関係を示す要部の正面から見た透視図である。
【図１３】本発明の第２実施例における扇風機本体の正面図である。
【図１４】同上、扇風機本体の右側面図である。
【図１５】本実施例のファンガードを説明する要部の斜視図である。
【図１６】本実施例において、ファンの回転方向に対する桟の形状の違いと、風速分布との関係を示したグラフである。
【図１７】第２実施例の変形例として、前ガード組立て体を正面から見た図である。
【図１８】同上、図１７の前ガード組立て体を背面から見た図である。
【図１９】同上、図１７や図１８とは異なる桟の形状で、前ガード組立て体を正面から見た図である。
【図２０】同上、図１９の前ガード組立て体を背面から見た図である。
【図２１】本発明の第３実施例におけるファンの正面図である。
【図２２】同上、ファンの背面図である。
【図２３】同上、ファンの斜視図である。
【図２４】同上、ファンを含む扇風機本体の要部縦断面図である。
【図２５】同上、軸流羽根のファンについて、風の流れを線で示した図である。
【図２６】同上、軸流羽根と斜流羽根のファンについて、風の流れを線で示した図である。
【図２７】同上、軸流羽根のファンと、軸流羽根と斜流羽根のファンについて、羽根近傍の風の流れを解析した結果を矢印で示した図である。
【発明を実施するための形態】
【００２６】
以下、添付図面を参照しつつ、本発明における扇風機の好ましい実施例について、添付図面を参照しながら詳細に説明する。なお、各実施例で同一の部分には同一の符号を付し、その共通する箇所の説明は重複を避けるため極力省略する。
【実施例１】
【００２７】
図１〜図５は本発明の第１実施例における扇風機本体１の外観を示している。これらの各図において、２は室内の床面などに載置されるベース、３はベース２から上方に向かう支柱、４は風を送り出す羽根部としての送風部で、支柱３の上端部と送風部４との間には、送風部４を任意の方向に首振り運動させるための首振り装置６が装備される。ベース２は、その外形が平面視でほぼ円形をなす扁平状に形成され、前方上面には複数のキーやボタンによる操作体の他に、ＬＥＤなどの表示体を備えた操作パネル８が設けられる。また支柱３は、首振り装置６を含めた送風部４を昇降させる昇降装置をなすもので、ベース２の後方上面から垂直に延びる筒状の支柱基部１１と、この支柱基部６の内側に上下摺動自在に組み付けられた摺動杆１２とからなり、支柱基部１１の上部後方に設けたロック釦１３を、図示しない弾性体の付勢力に抗して押動することにより、支柱基部１１と摺動杆１２との係合が解除されて、送風部４や首振り装置６を支持する摺動杆１２が、支柱基部１１に対して上下に摺動するようになっている。なお、上記各図には示していないが、扇風機本体１には遠隔操作体としてのリモコン送信機を別体で備えており、これらの扇風機本体１とリモコン送信機とにより、本実施例における扇風機が構成される。
【００２８】
送風部４は、駆動源としてのモータに相当するＤＣ（直流）ファンモータ１５と、このＤＣファンモータ１５により回転駆動される羽根としてのファン１６と、ファン１６を覆う網状のガードとしてのファンガード１７とからなる。ファン１６は、ＤＣファンモータ１５の前方に突出した回転軸（図示せず）に取付け固定され、複数の翼１８を放射状に配置して構成される。また、送風部４のＤＣファンモータ１５と首振り装置６の全体は、前側を開口した駆動部カバー１９により覆われており、この駆動部カバー１９の開口周縁にファンガード１７が取り付けられる。本実施例では、特に送風部４の駆動源としてＡＣ（交流）モータではなく、ＤＣファンモータ１５を採用しているので、このＤＣファンモータ１５に供給するパルス駆動信号のデューティを制御することで、ファン１６の回転数を任意に可変することができる。また、本実施例では図示しないが、送風部４の静音化対策として、ＤＣファンモータ１５とファン１６との連結部分には、ゴムなどの弾性部材がダンパーとして設けられる。
【００２９】
次に、上述したファンガード１７のより詳細な構成を、図６〜図１０に基づき説明する。なお、図１〜図５に示す同一実施例の扇風機本体１とは、形状が異なる部位も認められるが、特に説明がない限り、同一符号では同一機能を有するものとみなす。
【００３０】
図６〜図１０の各図において、ファンガード１７は、駆動部カバー１９の前部に取付け固定される後ガード２１と、後ガード２１の前面開口を塞ぐように配設される前ガード２２と、前ガード２２を保持した状態で、後ガード２１に取付け固定される環形のリブ部材２３とにより構成される。
【００３１】
後ガード２１は、プラスチックなどの合成樹脂製で、ファン１６の後面に対向する円形の基部２４と、基部２４の外周端から前方に延びており、ファン１６の外周部に対向する中空円筒形の周縁部２５とからなる。基部２４は、その中心にＤＣファンモータ１５の回転軸を挿通する孔２６が設けられており、孔２６を取り囲んで駆動部カバー１９との位置決め部２７が設けられている。位置決め部２７には複数の孔が形成され、何れも図示しないが、駆動部カバー１９の前面に突設した複数のピンを、位置決め部２７の孔に差し込んだ状態で、孔２６から前方に突出した駆動部カバー１９の雄ねじ部に、別部品である締め付けリングを螺着することにより、駆動部カバー１９に対して所定の位置で後ガード２１を取付け固定できるようになっている。
【００３２】
基部２４はさらに、後ガード２１の正面方向から見て、位置決め部２７の外周から周縁部２５に向けて放射状に延びるように設けられ、互いに適宜間隔を有して配置される複数の骨部２８と、各骨部２８とほぼ垂直に交差するように配置される環形の当接部２９と、当接部２９の外周側にあって、各骨部２８の外周端部を連結する環形の連結部３０とを備えている。この中で、骨部２８や当接部２９は、板状，棒状または線状をなし、特に当接部２９は、ファン１６に対向する前面を、全体で凹凸のない平坦状に形成している。骨部２８は正面から見て直線状ではなく、曲線状に形成されていても構わない。
【００３３】
周縁部２５は、後ガード２１の前端部を形成する環形の連結部３１と、後ガード２１の前後方向に沿って、その一端と他端が連結部３０，３１にそれぞれ連結して直線状に設けられ、互いに適宜間隔を有して配置される複数の骨部３２とを備えている。また、周縁部２５の一端と下端に相当する上端と下端には、それぞれ孔を有する上嵌合部３３と下嵌合部３４が設けられる。後ガード２１の開口縁部に位置する連結部３１の前端側には、後端側よりも肉薄な舌片３５がほぼ全周に渡って形成される。また、連結部３１の内面には、所定の間隔を有して複数の嵌合リブ３６が突設される。
【００３４】
前ガード２２は、ファン１６の前面に対向して、その大部分が直線状の骨部４１と、環形状の外周部４２とからなる金属製のワイヤーを接合して構成され、後ガード２１の正面方向から見て、前ガード２２の中心部には、合成樹脂製の蓋４３を取付けるための中空な円板４４が設けられる。複数本の骨部４１は、金属製の円板４４の外周から、外周部４２に向けて放射状に延びるように設けられ、互いに適宜間隔を有して配置される。
【００３５】
リブ部材２３は、プラスチックなどの合成樹脂製で、後方に突出した仕切り壁４５を共通の壁部として、仕切り壁４５の外周側に形成した断面Ｕ字状の第１嵌入部４６と、仕切り壁４５の内周側に形成した断面Ｌ字状の第２嵌入部４７を備えている。第１嵌入部４６は、後ガード２１の舌片３５が嵌入可能な形状を有しており、前記嵌合リブ３６に対応して仕切り壁４５の適所には、第１嵌入部４６に向けて突出する複数の受け部４８が一体に形成される。この受け部４８は、後ガード２１の舌片３５にリブ部材２３の第１嵌入部４６を押し込むようにして、リブ部材２３を後ガード２１に装着する途中で、後ガード２１の内側に位置する嵌合リブ３６に当接し、そこからさらに後ガード２１側にリブ部材２３を押し込むと、嵌合リブ３６が受け部４８を乗り越えて、リブ部材２３が後ガード２１の内側で嵌合するように構成されている。
【００３６】
一方、リブ部材２３の第２嵌入部４７は、後ガード２１にリブ部材２３を装着した時に、後ガード２１の周縁部２５よりも内周側で、前ガード２２の外周部４２に接して保持するように設けられており、前ガード２２を第２嵌入部４７に装着したときの抜け止め部として、仕切り壁４５の適所には、第２嵌入部４７に向けて複数の突起４９が形成される。
【００３７】
その他、リブ部材２３の上端には、後ガード２１の上嵌合部３３に嵌合可能なリブ５１が、リブ部材２３と一体的に設けられると共に、リブ部材２３の下端には、後ガード２１との外れ防止のために、後ガード２１の下嵌合部３４に嵌合可能なクリップ５２が、リブ部材２３と別部材で設けられる。クリップ５２は、リブ部材２３に形成れたヒンジ部５３に回動自在に取付けられ、リブ部材２３のリブ５１を後ガード２１の上嵌合部３３に嵌合させた後、リブ部材２３の第１嵌入部４６に後ガード２１の舌片３５を完全に嵌入させた状態で、クリップ５２を後ガード２１の周縁部２５に向けて回動操作することで、クリップ５２を後ガード２１の下嵌合部３４に掛止できるようになっている。
【００３８】
次に、ファン１６とファンガード１７との位置関係について、図１１や図１２を参照して説明する。これらの各図において、本実施例のファン１６は、ＤＣファンモータ１５の回転軸がその中心に取付け固定される回転ボス６１と、プロペラ形状をなす軸流型の羽根部６２として、回転ボス６１を中心に放射状に配置される複数の翼１８とにより構成される。各翼１８は同一形状をなし、ファン１６の回転方向Ｓに対して、翼１８の前側外周には、風を切り始める鋭角状の前縁部６３が形成される。そしてここでは特に、ファン１６の先端部となる前縁部６３の回転軌跡に一致するように、ファン１６に対向して平坦面を有する当接部２９が、後ガード２１の基部２４に設けられており、回転するファン１６がどの位置にあっても、その前縁部６３は当接部２９の平坦面と向かい合っている。
【００３９】
そして、上記構成の扇風機では、操作パネル８や付属のリモコンを操作して、運転の開始を指示すると、ＤＣファンモータ１５への電力供給によってファン１６が所定の回転方向Ｓに回転し、ファンガード１７を通して送風部４から送風が行なわれる。この扇風機の運転中に、ベース２が床面から離れて扇風機本体１が転倒すると、送風部４に外力が加わって、ＤＣファンモータ１５と弾性部材６８を介して連結されたファン１６や、合成樹脂製の後ガード２１が変形してたわんだりする。しかし、仮に回転するファン１６が後ガード２１に接触した場合でも、ファン１６の先端部に相当する前縁部６３は、どの位置にあっても後ガード２１の基部２４に設けられた当接部２９の平坦面に当たって、隣り合う骨部２８，２８の間に形成された隙間には入り込まず、ファン１６は破損しない。そのため、後ガード２１を合成樹脂製とした場合であっても、ファン１６とファンガード１７との隙間をより狭くすることができ、扇風機本体１のファンガード１７を薄型化および小型化することが可能になる。
【００４０】
次に、ファンガード１７の分解および組立の手順について説明する。図１〜図５に示す扇風機の完成状態からファンガード１７を分解するには、先ず、ヒンジ部５３に枢着されるクリップ５２を手動操作して手前側に起こし、リブ部材２３の下側で、クリップ５２と後ガード２１の下嵌合部３４との掛止状態を解除する。次いで、後ガード２１の内側に突設した嵌合リブ３６と、リブ部材２３の仕切り壁４５に設けた受け部４８との嵌合を解除するために、ファンガード１７の下側からリブ部材２３を手前に引っ張るように力を加える。そして、リブ部材２３の第１嵌入部４６から後ガード２１の舌片３５が概ね離脱した時点で、リブ部材２３に上向きの力を加えると、リブ部材２３のリブ５１と後ガード２１の上嵌合部３３との嵌合が外れ、前ガード２２を装着したリブ部材２３を後ガード２１から分離させることが可能になる。そこからさらに、前ガード２２の外周部４２とリブ部材２３の突起４９との嵌合を解除するような力を加えることで、前ガード２２とリブ部材２３とを分離させることが可能になる。
【００４１】
一方、ファンガード１７の組立時の手順は分解時と逆になる。先ず、リブ部材２３の後側から、前ガード２２の外周部４２がリブ部材２３の突起４９を乗り越えるような力を前ガード２２に加え、前ガード２２をリブ部材２３の第２嵌入部４７に装着する。このときの金属製の前ガード２２は、前ガード２２よりも弾性に富む合成樹脂製のリブ部材２３の補強部材として作用する。
【００４２】
次いで、リブ部材２３の上側で、リブ部材２３のリブ５１と後ガード２１の上嵌合部３３とを嵌合させ、リブ部材２３の上側から、リブ部材２３の第１嵌入部４６を後ガード２１の舌片３５に押し込むようにして、そのリブ部材２３に力を加える。こうして、リブ部材２３を後ガード２１に装着する途中で、後ガード２１の内側に設けた嵌合リブ３６にリブ部材２３の受け部４８が当接するが、そこからさらにリブ部材２３を後ガード２１側に押し込むと、嵌合リブ３６が受け部４８を乗り越えて、リブ部材２３が後ガード２１の内側で嵌合する。そして、最後にクリップ５２を後ガード２１の周縁部２５に向けて手動で回動操作するだけで、クリップ５２が後ガード２１の下嵌合部３４に掛止され、前ガード２２を含むリブ部材２３が後ガード２１から外れるのを簡単に防ぐことができる。
【００４３】
本実施例のファンガード１７は、前ガード２２を金属ワイヤー製とし、後ガード２１を合成樹脂製としたことにより、ファンガード１７として形状の自由度を高めつつ、軽量化やコスト低減を図っている。しかし、後ガード２１は金属製のものよりも強度がなく、変形しやすいので、従来の磁石やねじ込みによる前ガード２２との固定方法では、扇風機本体１の転倒時に後ガード２１から前ガード２２が簡単に外れてしまう。
【００４４】
そこで本実施例では、前ガード２２の金属ワイヤー部である外周部４２が内側に接して保持されるようなリブ部材２３を設け、前ガード２２により補強されたリブ部材２３を、後ガード２１の内側に嵌合させる。これにより、後ガード２１の外側から力が加わった場合でも、リブ部材２３を介して前ガード２２が受け止めて、内側への変形を防止することができ、ファンガード１７全体の強度を確保して、仮に扇風機本体１が転倒した場合でも、その安全性を高くすることが可能になる。
【００４５】
また上記構成では、後ガード２１の上嵌合部３３と嵌合するリブ５１を、リブ部材２３の上端に設ける一方で、後ガード２１との外れ防止のためのクリップ５２を、リブ部材２３の下端に設けている。そのため、リブ部材２３に設けたリブ５１を後ガード２１の上嵌合部３３に嵌合させ、リブ５１の反対側でクリップ５２によりリブ部材２３と後ガード２１とを係止固定することができ、扇風機本体１の転倒時に、前ガード２２を含むリブ部材２３と後ガード２１とを容易に外れないようにすることができる。また、清掃時や収納時などにクリップ５２を操作すれば、後ガード２１とリブ部材２３との嵌合を簡単に解除でき、後ガード２１と前ガード２２とを容易に分解することができる。
【００４６】
さらにファンガード１７は、後ガード２１の周縁部２５の開口端に、他の部位よりも肉薄な舌片３５を形成し、リブ部材２３に形成した断面Ｕ字状の第１嵌入部４６に後ガード２１の舌片３５を嵌合させることで、リブ部材２３を後ガード２１に装着する構成となっている。そのため、後ガード２１の中で特に変形しやすい円筒状の周縁部２５を、第１嵌入部４６と舌片３５との嵌合により効果的に補強でき、しかも後ガード２１の周縁部２５の外周面とリブ部材２３の外周面とを面一にして、デザイン性を高めたファンガード１７を提供できる。
【００４７】
以上のように本実施例では、回転する羽根としてのファン１６と、そのファン１６を覆う網状の隙間を有するガードとしてのファンガード１７とを、扇風機本体１に備えた扇風機において、ファンガード１７は、ファン１６の先端部に位置する前縁部６３の回転軌跡に対向する箇所の全周に、平坦面を有する当接部２９を設けている。
【００４８】
この場合、転倒時にファン１６やファンガード１７の後ガード２１がたわみ変形して、ファンガード１７にファン１６が接触することがあっても、回転するファン１６の先端はどの位置でも、当接部２９に形成した平坦面に当接するので、ファンガード１７の骨部２８，２８の間に形成される隙間にファン１６が入り込むことはなく、ファン１６は破損しない。したがって、ファン１６とファンガード１７との隙間が狭くてもファン１６は破損せず、ファンガード１７を薄型化および小型化することが可能になる。
【００４９】
また本実施例では、ファン１６を覆う網状のファンガード１７を、前ガード２２と後ガード２１に分割可能な構成とした扇風機において、前ガード２２は骨部４１や外周部４２からなる金属のワイヤーとする一方で、後ガード２１は合成樹脂として構成し、前ガード２２が内接するリブ部材２３を設け、後ガード２１の強度を確保するために、リブ部材２３が後ガード２１の内側に嵌合する構成となっている。
【００５０】
この場合、後ガード２１を合成樹脂製にすることで、ファンガード１７としての軽量化やコスト低減を図ることができ、また、金属のワイヤーからなる前ガード２２にリブ部材２３を設け、このリブ部材２３を後ガード２１の内側に嵌合させて、外力による後ガード２１の変形を防止することで、ファンガード１７全体の強度を確保して、扇風機本体１の転倒時における安全性を高くすることができる。
【００５１】
さらに本実施例では、リブ部材２３の一端である上端に後ガード２１と嵌合するリブ５１を設け、リブ部材２３の他端に、後ガード２１との外れ防止のためのクリップ５２を設けている。
【００５２】
この場合、リブ部材２３に設けたリブ５１を後ガード２１に嵌合させ、リブ５１の反対側でクリップ５２を用いてリブ部材２３と後ガード５１とを係止固定することで、扇風機本体１の転倒時に前ガード２２と後ガード２１とを容易に外れないようにすることができる。また、清掃時や収納時にクリップ５２を回動操作して、後ガード２１とリブ部材２３との嵌合を解除するだけで、前ガード２２と後ガード２１とを容易に分解することができる。
【実施例２】
【００５３】
図１３〜図１５は本発明の第２実施例における扇風機本体７１の外観を示している。ここでは、第１実施例のリブ部材２３に代わる合成樹脂製の送風切替えユニット７２が設けられ、この送風切替えユニット７２に第１実施例で説明した金属製の前ガード２２を装着して構成される前ガード組立て体７３が、後ガード２１の前端開口に対してリバーシブルに着脱可能に設けられている。そして、前ガード組立て体７３と後ガード２１とにより、ガードとなるファンガード７４が構成される。また、後ガード２１の周縁部２５に形成された骨部３２は、ファンガード７４の前後方向ではなく周方向に沿って、それぞれ適宜間隔を有して配置される。その他の構成は、第１実施例の扇風機本体１と共通している。
【００５４】
送風切替えユニット７２は、前ガード２２の外周部４２を嵌合保持する中空円形の外周枠７５と、外周枠７５の中心に位置し、前ガード２２の円板４４に取付けられる円形基部７６と、前ガード２２の骨部４１に対向し、円形基部７６の外周から外周枠７５に向けて、渦巻き状の隙間を形成するように配置された複数の曲線形の桟７７とにより構成される。従って、本実施例における前ガードとは、実質的に前ガード２２や桟７７を含む前ガード組立て体７３となる。
【００５５】
そして本実施例では、操作パネル８や付属のリモコンを操作して、運転の開始を指示すると、ＤＣファンモータ１５への電力供給によってファン１６が所定の回転方向Ｓに回転し、後ガード２１を通してファン１６の後方から吸い込まれた風が、ファン１６の軸方向に沿って前方に流れ、前ガード組立て体７３を通して送風部４から送風が行なわれる。
【００５６】
この場合、図１５に示すように、桟７７の基端から外周に向けた曲線形状が、ファン１６の回転方向Ｓに対して逆方向となるように、前ガード組立て体７３を後ガード２１に装着すると、ファン１６から前ガード組立て体７３に向けて送り出された風が、桟７７，７７の間を通過する際にさほど拡散しなくなり、前ガード２２の隙間を通して前ガード組立て体７３の前方から直進性を有する風を送り出すことができる。一方、桟７７の基端から外周に向けた曲線形状が、ファン１６の回転方向Ｓに対して順方向となるように、前ガード組立て体７３を後ガード２１に装着すると、桟７７，７７の間を通過する際に拡がって、前ガード２２の隙間を通して前ガード組立て体７３の前方から拡散した風を送り出すことができる。つまりここでは、後ガード２１に対して前ガード組立て体７３をリバーシブルに着脱可能にする手段が、桟７７の形状をファン１６の回転方向Ｓに対して順方向と逆方向に切替える切替え手段として設けられている。
【００５７】
図１６は、前ガード組立て体７３に設けた渦巻き状リブとしての桟７７の形状を、ファン１６の回転方向Ｓに対して順方向に向けた「渦巻き右方向（ファン回転方向）」の場合と、ファン１６の回転方向Ｓに対して順方向に向けた「渦巻き右方向（ファン回転逆方向）」の場合に、扇風機本体１の前方６０ｃｍで、ファン１６の中心からの測定距離で風速がどのように分布しているのかをグラフで示している。この測定結果から、「渦巻き右方向（ファン回転方向）」の場合には、「渦巻き右方向（ファン回転逆方向）」の場合よりも、風が拡散して送り出されているのがわかる。
【００５８】
また、図１７〜図２０は、別な変形例の前ガード組立て体７３を示している。ここでの前ガード組立て体７３は、桟７７の形状をファン１６の回転方向Ｓに対して順方向と逆方向に切替える切替え手段として、各桟７７の基端と先端が、それぞれ円形基部７６と外周枠７５に回動自在に取付けられていると共に、蓋４３と円形基部７６が同軸で回動可能に取付けられており、蓋４３を回動操作するのに伴い、桟７７の曲線形状が変化するように構成されている。
【００５９】
そしてこの変形例では、図１７や図１８に示すように、桟７７の基端から外周に向けた曲線形状が、ファン１６の回転方向Ｓに対して順方向となるように、蓋４３を手動で回動操作すると、ファン１６から前ガード組立て体７３に向けて送り出された風が、桟７７，７７の間を通過する際に拡がって、前ガード２２の隙間を通して前ガード組立て体７３の前方から拡散した風を送り出すことができる。一方、図１９や図２０に示すように、桟７７の基端から外周に向けた曲線形状が、ファン１６の回転方向Ｓに対して逆方向となるように、蓋４３を手動で回動操作すると、ファン１６から前ガード組立て体７３に向けて送り出された風が、桟７７，７７の間を通過する際にさほど拡散しなくなり、前ガード２２の隙間を通して前ガード組立て体７３の前方から直進性を有する風を送り出すことができる。また、このような風の切替えは、ファンガード７４の外側から蓋４３を操作するだけで可能になるため、後ガード２１から前ガード組立て体７３を着脱する手間も省ける。
【００６０】
以上のように本実施例では、回転するファン１６と、ファン１６を覆う網状のガードであるファンガード７４とを備えた扇風機において、ファンガード７４は、ファン１６の前面に対向して配置される前ガード組立て体７３に複数の同一形状の桟７７を設けており、桟７７の曲線形状を、ファン１６の回転方向Ｓに対して順方向と逆方向に切替える切替え手段を備えている。
【００６１】
この場合、ファン１６の回転速度を変えて風の強弱を変更するのではなく、前ガード組立て体７３に設けた桟の形状を切替え手段によって切替えることで、桟７７の形状がファン１６の回転方向Ｓに対して順方向に向いている場合は、前ガード組立て体７３で風を拡散して広がる風を送り出すことができ、また桟７７の形状がファン１６の回転方向Ｓに対して逆方向に向いている場合は、前ガード組立て体７３から直進性の風を送り出すことが可能になる。従って、扇風機として広がる風と直進性の風を切替えて送り出すことが可能になる。
【実施例３】
【００６２】
図２１〜図２３は、本発明の第３実施例におけるファン８１の外観を示している。ここでのファン８１は、第１実施例で説明した羽根部６２を軸流型の第１羽根部とし、これとは別な斜流型の第２羽根部として、羽根部６２よりも直径の小さな羽根部８２を組み合わせた構成を有している。回転ボス６１の中心には、ＤＣファンモータ１５の回転軸１５Ａ（図２４を参照）と連結する金属製の連結部８３が、ゴム製のダンパーとなる弾性部材８４を介してファン８１に取付け固定される。また、連結部８３を取り囲むようにして、回転ボス６１には複数の風洞８５を有する羽根部８２が配設される。
【００６３】
羽根部８２の各風洞８５は何れも同一形状で、回転ボス６１の後面に吸気口８６を有すると共に、回転ボス６１の前面に排気口８７を有し、吸気口８６よりも排気口８７がファン８１の外周側に、且つファン８１の回転方向Ｓに対して逆方向に配置されている。また、隣り合う風洞８５，８５を区画する翼８８は、ファン８１の回転方向Ｓに対して順方向に膨出しているのに対し、プロペラ形状をなす羽根部６２の翼１８は、ファン８１の回転方向Ｓに対して逆方向に膨出している。ここでの羽根部８２は、軸方向に吸い込んだ空気を斜め前方に送り出す斜流型ファンの形態を有するが、軸方向に吸い込んだ空気を横方向（遠心方向）に送り出す遠心型ファンの形態を有していてもよい。
【００６４】
図２４は、上述したファン８１を含む扇風機本体９１の要部の縦断面図である。同図において、駆動部カバー１９の前面と後面は、送風部４のファン８１の後方から羽根部８２の吸気口８６に空気を取り入れるための通気口９２，９３がそれぞれ設けられる。また９４は、羽根部８２の吸気口８６を開閉するために、この吸気口８６に対向して配置された通気孔９２の開閉を切替える開閉手段としてのシャッターである。このシャッター９４は、手動もしくは電動で動作が可能であり、本実施例では駆動部カバー１９の内部で移動可能に設けられているが、吸気口８６への空気の進入を可能にし、または遮断するものであれば、どのような構造でどの位置に設けられていても構わない。ここでは、斜流型の送風部８２が駆動部カバー１９の前面に対向して配置される一方で、軸流型の送風部６２は駆動部カバー１９の外方に配置される。その他、９５はＤＣファンモータ１５の回転軸１５Ａに螺着して、ファン８１を回転軸１５Ａに取付け固定されるスピンナーである。
【００６５】
そして本実施例では、操作パネル８や付属のリモコンを操作して、運転の開始を指示すると、ＤＣファンモータ１５への電力供給によってファン８１が所定の回転方向Ｓに回転し、ファン８１の後方から羽根部６２に吸い込まれた風が、ファン８１の軸方向に沿って前方に流れ、直進性のある風が羽根部６２から送り出される。
【００６６】
ここで、通気口９２を開放する位置にシャッター９４が移動していると、図２４の白抜き矢印で示したように、ファン８１の回転に伴って、通気口９３から駆動部カバー１９の内部を通り、別な通気口９２から羽根部８２の後方に形成された吸気口８６へ向かう風の流れが、扇風機本体１の内部で形成される。これにより、羽根部８２の吸気口８６に吸い込まれた風は風洞８５を通過し、ファン８１の軸方向に対して斜め前方に流れ、羽根部６２の排気口８７から送り出され、羽根部６２から送り出される風とぶつかって、広がりのある風を扇風機本体１の正面から提供することが可能になる。
【００６７】
それに対して、通気口９２を閉じる位置にシャッター９４が移動していると、図２４の白抜き矢印で示した風の流れが遮断され、ファン８１の羽根部６２から直線性のある風だけが送り出される。したがって、シャッター９４の切替え動作により、通気口９２ひいては羽根部８２の吸気口８６を閉じた場合には、ファン８１の全体から直進性のある風が送り出され、羽根部８２の吸気口８６を開いた場合には、ファン８１の全体から横方向に広がる風を送り出すことができる。
【００６８】
図２５は、第１実施例や第２実施例で説明した軸流型の羽根部６２だけを有する軸流羽根のファン１６について、当該ファン１６からの風の流れを線で示している。また図２６は、本実施例で説明した軸流型と斜流型の羽根部６２，８２を組み合わせた軸流羽根と斜流羽根のファン８１について、当該ファン８１からの風の流れを線で示している。
【００６９】
図２５と図２６を比較すると、図２５に示すファン１６は、その前面から直進性の強い風が送り出されていて、風の広がりはさほど認められないのに対し、図２６に示すファン８１は、その前面から比較的広がりのある風が送り出されているのがわかる。
【００７０】
図２７は、実施例のファン８１では、上述した軸流羽根のファン１６と、軸流羽根と斜流羽根のファン８１について、羽根近傍の風の流れと向きを矢印で示したものである。同図において、特に点線で囲んだ部分に着目すると、軸流羽根のファン１６では、軸流型の羽根部６２の中心部を通過した風が、ファン１６の中心方向に向かって流れているため、ファン１６の全体から直進性のある風が送り出されている。一方、軸流羽根と斜流羽根を有するファン８１では、斜流型の羽根部８２から吐出する風が、その外周に位置する軸流型の羽根部６２からの風とぶつかり、ファン８１の全体からワイドに広がる風が送り出されている。
【００７１】
以上のように、本実施例における扇風機の羽根としてのファン８１は、駆動源であるモータ１５の回転軸１５Ａに取り付けられる回転ボス６１と、その回転ボス６１を中心として、複数の翼１８を放射状に設けてなる軸流型の第１羽根部としての羽根部６２と、回転ボス６１を中心として、前記第１羽根部よりも直径が小さい斜流型或いは遠心型の第２羽根部としての羽根部８２とを備え、ファン８１の回転時には、羽根部８２によりファン８１の中心から斜め前方若しくは横方向に風を出し、羽根部６２によりファン８１の外周部から直進の風を出す構成となっている。
【００７２】
この場合、扇風機のファン８１として、形態の異なる２種類の羽根部６２，８２を組み合わせることで、首振り機構となる首振り装置６をわざわざ用いなくても、直進性のある風と広がりのある風を一つのファン８１で実現することが可能になる。
【００７３】
また本実施例のファン８１は、羽根部８２の吸気口８６を開閉する開閉手段としてシャッター９４を備え、吸気口８６を閉じた場合には、ファン８１の全体から直進の風を出し、吸気口８６を開いた場合には、ファン８１の全体から広がる風を出す構成となっている。
【００７４】
この場合、シャッター９４を用いて羽根部８２の吸気口８６を開閉することで、ファン８１の全体から直進性のある風と、広がりのある風の何れかを切替えて送り出すことができる。
【００７５】
なお、本発明は上記実施例に限定されるものではなく、本発明の趣旨を逸脱しない範囲で種々の変更可能である。例えば各実施例における技術的な特徴を適宜組み合わせた扇風機としてもよい。また、図示したファン１６，８１やファンガード１７，７４の形状はあくまでも一例で、同様の作用効果が発揮されるならば、適宜形状変更を行なっても構わない。
【符号の説明】
【００７６】
４  送風部
１５  ＤＣファンモータ（駆動源）
１６，８１  ファン（羽根）
１７，７４  ファンガード（ガード）
１８  翼
２１  後ガード
２２  前ガード
２３  リブ部材
５１  リブ
５２  クリップ
６１  回転ボス
６２  羽根部（第１羽根部）
６３  前縁部（先端部）
７３  前ガード組立て体（前ガード）
７７  桟
８２  羽根部（第２羽根部）
８６  吸気口
９４  シャッター（開閉手段）
【図１】
2015169151.tif 000003
【図２】
2015169151.tif 000004
【図３】
2015169151.tif 000005
【図４】
2015169151.tif 000006
【図５】
2015169151.tif 000007
【図６】
2015169151.tif 000008
【図７】
2015169151.tif 000009
【図８】
2015169151.tif 000010
【図９】
2015169151.tif 000011
【図１０】
2015169151.tif 000012
【図１１】
2015169151.tif 000013
【図１２】
2015169151.tif 000014
【図１３】
2015169151.tif 000015
【図１４】
2015169151.tif 000016
【図１５】
2015169151.tif 000017
【図１６】
2015169151.tif 000018
【図１７】
2015169151.tif 000019
【図１８】
2015169151.tif 000020
【図１９】
2015169151.tif 000021
【図２０】
2015169151.tif 000022
【図２１】
2015169151.tif 000023
【図２２】
2015169151.tif 000024
【図２３】
2015169151.tif 000025
【図２４】
2015169151.tif 000026
【図２５】
2015169151.tif 000027
【図２６】
2015169151.tif 000028
【図２７】
2015169151.tif 000029